(57)【特許請求の範囲】
【請求項１】
天板付き家具に隣接した位置で取り付けられる、間仕切面に交差する方向に延びる脚部のないタイプの間仕切りであって、前記天板付き家具における前記家具の側端部よりも外側に張り出す、天板の外周縁領域を受容可能な受容部が中間に形成される上側の横行部材及び下側の横行部材を備え、前記受容部に前記外周縁領域を受容して前記家具の側端部を前記下側の横行部材を連結部として連結することで起立状態が維持されることを特徴とする間仕切り。
【請求項２】
前記連結部は、前記側端部に着脱自在に設けられていることを特徴とする請求項１記載の間仕切り。
【請求項３】
前記連結部は、前記天板付き家具の前後若しくは左右の側端部に選択的に連結可能に設けられていることを特徴とする請求項１又は２記載の間仕切り。
【請求項４】
前記連結部の上方及び／又は下方に貫通部が形成されていることを特徴とする請求項１、２又は３記載の間仕切り。
【請求項５】
天板付き家具に隣接した位置で間仕切りを取り付ける構造において、
前記天板は、前記天板付き家具における前記家具の側端部よりも外側に張り出す外周縁領域を含み、
前記間仕切りは、間仕切面に交差する方向に延びる脚部のないタイプの間仕切りであって、前記天板の外周縁領域を受容可能な受容部が中間に形成される上側の横行部材及び下側の横行部材を備え、前記受容部に前記外周縁領域を受容して前記家具の側端部を前記下側の横行部材を連結部として連結することで起立状態が維持されることを特徴とする間仕切りの取付構造。
【請求項６】
前記天板は、前後幅よりも左右幅の長い平面形状を備え、前記受容部は、前記天板の左右幅と略同一の幅に設定され、前記間仕切りは、前記天板付き家具の前後若しくは左右の側端部に選択的に連結可能に設けられていることを特徴とする請求項５記載の間仕切りの取付構造。
【請求項７】
前記間仕切りは、前記受容部に前記外周縁領域を受容した状態で前記側端部に固定可能な連結部を更に備えたことを特徴とする請求項５又は６記載の間仕切りの取付構造。
【発明の詳細な説明】
【０００１】
【発明の属する技術分野】
本発明は、間仕切り及びその取付構造に係り、更に詳しくは、家具の一部を利用して起立状態を維持することのできる間仕切り及びその取付構造に関する。
【０００２】
【従来の技術】
従来より、オフィス等においては、対面若しくは相互に隣り合う机の間等を仕切るために、各机の間に単体の間仕切りを配置することが行われている。このように単体で用いられる間仕切りは、その間仕切面に交差する方向に延びる脚部が下部複数箇所に設けられており、当該脚部を床面に接地させることで自立可能となっている。
【０００３】
【発明が解決しようとする課題】
しかしながら、前記間仕切りにあっては、前記脚部が設けられているため、当該脚部が床面上の障害物となって、脚部付近の床面領域に他の家具等を置くことができなくなるばかりか、脚部が歩行者の足に引っ掛かる等、歩行の邪魔にもなるという不都合がある。
【０００４】
ところで、前記脚部のないタイプの間仕切りも知られているが、このようなタイプの間仕切りは、机の天板面内に差し込むための構造を設ける必要があり、当該机を複雑化するという不都合がある。しかも、この構造では、天板面の作業有効面積を狭めてしまうことにもなる。また、脚部のないタイプの間仕切りを床面上に起立させる場合には、他の間仕切りを面方向が異なるように複数連ねなければならないため、このような脚部のない間仕切りについては、単体で床面に設置することができない。
【０００５】
【発明の目的】
本発明は、このような不都合に着目して案出されたものであり、その目的は、脚部を設けることなく起立状態を維持することができる間仕切り及びその取付構造を提供することにある。
【０００６】
【課題を解決するための手段】
前記目的を達成するため、本発明は、天板付き家具に隣接した位置で取り付けられる、間仕切面に交差する方向に延びる脚部のないタイプの間仕切りであって、前記天板付き家具における前記家具の側端部よりも外側に張り出す、天板の外周縁領域を受容可能な受容部が中間に形成される上側の横行部材及び下側の横行部材を備え、前記受容部に前記外周縁領域を受容して前記家具の側端部を前記下側の横行部材を連結部として連結することで起立状態が維持される、という構成を採っている。このような構成によれば、家具の側端部に連結部を連結することにより、間仕切りの起立状態が維持されるようになっているため、脚部を間仕切りに設けなくても、当該間仕切りを起立状態に保つことができる。
【０００７】
【発明の実施の形態】
本発明における間仕切りの連結部は、前記側端部に着脱自在に設けられる、という構成を採ることが好ましい。このように構成することで、間仕切りの交換や、間仕切りを設けない状態での家具の設置が可能となり、より多くのニーズに対応可能となる。
【０００８】
また、前記連結部は、前記天板付き家具の前後若しくは左右の側端部に選択的に連結可能に設けられる、という構成を採ることが好ましい。このように構成することで、間仕切りの取り付け位置を任意に異ならせることができ、多彩なレイアウトに対応可能となる。
【０００９】
更に、前記連結部の上方及び／又は下方に貫通部が形成される、という構成を併用することもできる。これにより、間仕切りによって仕切られた各空間に跨って各種コード類等を延ばす場合に、当該コード類を間仕切りの端部側を迂回させる必要がなくなり、当該コード類の必要長さを軽減することができる他、配線の変更時に迅速な対応が可能となる。
【００１０】
また、本発明は、天板付き家具に隣接した位置で間仕切りを取り付ける構造において、
前記天板は、前記天板付き家具における前記家具の側端部よりも外側に張り出す外周縁領域を含み、
前記間仕切りは、間仕切面に交差する方向に延びる脚部のないタイプの間仕切りであって、前記天板の外周縁領域を受容可能な受容部が中間に形成される上側の横行部材及び下側の横行部材を備え、前記受容部に前記外周縁領域を受容して前記家具の側端部を前記下側の横行部材を連結部として連結することで起立状態が維持される、という構成を採ることによっても、前述の目的を達成しようとしたものである。このような構成によれば、前記外周縁領域が受容部に受容されると、間仕切りの傾斜が規制されることになり、当該間仕切りの起立状態をより安定して保つことができる。
【００１１】
前記取付構造において、前記天板は、前後幅よりも左右幅の長い平面形状を備え、前記受容部は、前記天板の左右幅と略同一の幅に設定され、前記間仕切りは、前記天板付き家具の前後若しくは左右の側端部に選択的に連結可能に設けられる、という構成を採ることができる。このような構成により、一つのサイズの間仕切りで、使用者のニーズに応じた多彩なレイアウトを簡単に形成可能となる。特に、前記間仕切りは、前記受容部に前記外周縁領域を受容した状態で前記側端部に固定可能な連結部を更に備える、という構成を採ることにより、間仕切りを家具に取り付ける際の位置決めが容易となり、間仕切りの取り付け作業を一層簡単に行うことができる。
【００１２】
【実施例】
以下、本発明の実施例について図面を参照しながら説明する。
【００１３】
図１には、本実施例に係る間仕切りが取り付けられた状態の机の概略斜視図が示されており、図２には、図１のＡ−Ａ線矢視断面図が示されている。これらの図において、天板付き家具としての机１０には、その隣接する位置に、間仕切面Ｆに交差する方向に延びる脚部のないタイプの間仕切り１１が取り付けられている。
【００１４】
前記机１０は、図１〜図４に示されるように、前後幅よりも左右幅の長い平面形状をなす略方形の天板１２と、この天板１２の裏面側におけるコーナー四箇所からそれぞれ下方に延びる脚部１３〜１６と、左側の脚部１３，１４の上部間に位置する左側板１８と、右側の脚部１５，１６の上部間に位置する右側板１９と、後側の脚部１４，１６の上部間に位置する背板２０とを備えて構成されている。ここにおいて、左右両側板１８，１９と背板２０とにより机１０の側端部２２が構成されることになる。
【００１５】
前記天板１２は、その外周縁領域１２Ａが前記各脚部１３〜１６及び側端部２２よりも外側に張り出し可能となる平面サイズに設けられている。
【００１６】
前記左右両側板１８，１９は、前後二箇所にねじ穴２４，２４をそれぞれ備えている。また、背板２０は、左右方向三箇所にねじ穴２６を備えており、これらねじ穴２４，２６は、相互に同一サイズに設けられており、ねじ穴２６の各離間幅は、ねじ穴２４，２４の離間幅と略同一に設定されている。
【００１７】
前記間仕切り１１は、左右両側板１８，１９及び背板２０に選択的に連結可能に設けられており、図５及び図６に示されるように、外周側に配置されたフレーム２８と、このフレーム２８の内側上部領域に脱落不能に取り付けられた仕切ボード２９と、この仕切ボード２９よりも下方位置で図５中左右方向に延びる上下一対の横行部材３１，３２と、下側の横行部材３２の更に下方位置で図５中左右方向に延びる上下三本の連結バー３４とを備えて構成されている。
【００１８】
前記フレーム２８は、図５中正面側から見て略方形状の枠体をなし、左右一対のフレーム形成体２８Ａ，２８Ｂと、これらフレーム形成体２８Ａ，２８Ｂの上下両端側間を相互に連結する上下一対のフレーム形成体２８Ｃ，２８Ｄとにより構成されている。当該フレーム形成体２８Ｃ，２８Ｄの長さは、前記天板１２の左右幅と略同一に設定されており、下側のフレーム形成体２８Ｄは、図１に示される間仕切り１１の取り付け状態で、机１０の脚部１３〜１６が接地する床面Ｇに接地可能となっている。
【００１９】
前記仕切ボード２９は、略長方形状の平面形状をなす板材によって形成されており、上側の横行部材３１よりも上方となるフレーム２８の内側領域内に略隙間なく嵌め込まれている。
【００２０】
前記各横行部材３１，３２は、左右一対のフレーム形成体２８Ａ，２８Ｂ間を相互に連結する角材によってそれぞれ構成されている。
【００２１】
上側の横行部材３１には、その図５中左寄り二箇所に、大きさの相違する平面視略小判状の貫通穴３６，３６（貫通部）が形成されており、これら貫通穴３６，３６は、例えば、天板１２上に設置されたパソコン等の電気機器等から延びるコード類等の通し穴として利用可能となっている。なお、これら貫通穴３６は、省略することもでき、或いは、更に多数設けることもできる。
【００２２】
下側の横行部材３２は、上側の横行部材３１に対し、前記天板１２の外周縁領域１２Ａの厚みと略同一若しくは僅かに大きな離間幅をもって取り付けられており、これによって、各横行部材３１，３２の間に、前記外周縁領域１２Ａを受容可能な受容部としてのスロット穴３９が形成されることとなる。本実施例では、スロット穴３９の図５中左右幅が天板１２の左右幅と略同一に設けられており、外周縁領域１２Ａのうち正面側を除く三辺側が選択的にスロット穴３９に嵌め込み可能となっている。また、横行部材３２は、スロット穴３９に外周縁領域１２Ａを嵌め込んだときに、机１０の側端部２２に相対する高さ位置に設けられており（図２参照）、図５中左右方向三箇所に、机１０側のねじ穴２４，２６に対応するねじ穴４２が形成されている。これらねじ穴４２は、外周縁領域１２Ａの後端側をスロット穴３９に嵌め込んだときに、背板２０（図４参照）に形成された三箇所のねじ穴２６にそれぞれ相対可能に配置されている。しかも、ねじ穴４２は、外周縁領域１２Ａの左端側若しくは右端側をスロット穴３９に嵌め込んで奥行側いっぱいに寄せたときに（図１参照）、側板１８，１９に形成された二箇所のねじ穴２４，２４に相対可能に配置されている。このように、スロット穴３９に外周縁領域１２Ａを受容した状態で、相対するねじ穴４２とねじ穴２４又は２６とに、ねじ４４（図６参照）をねじ込むことによって、下側の横行部材３２が机１０の側端部２２に固定されるようになっている。従って、横行部材３２は、間仕切り１１を机１０の側端部２２に着脱自在に連結する連結部を構成することとなる。なお、前記各ねじ穴２４，２６，４２の数は、前述の数に限定されず、更に増減することも可能である。
【００２３】
前記連結バー３４は、左右一対のフレーム形成体２８Ａ，２８Ｂ間を相互に連結するように配置されており、これら各連結バー３４の間には、図５中紙面直交方向に貫通する貫通部としての貫通空間４６が形成されている。なお、連結バー３４を設けずに、下側の横行部材３２の下方領域にパネル材を嵌め込む構成を採用することもできる。
【００２４】
次に、前記間仕切り１１を机１０に取り付ける手順について、図６〜図８を用いて説明する。
【００２５】
机１０の左端側に間仕切り１１を取り付ける場合には、図６に示されるように、右側のフレーム形成体２８Ｂが奥行側に位置する向きで、間仕切り１１のスロット穴３９に天板１２の外周縁領域１２Ａの左端側部分を嵌め込む。この時、天板１２の後端位置がスロット穴３９の最も奥行側すなわちフレーム形成体２８Ｂ側に位置するようにセットする。この状態では、間仕切り１１の一部が机１０の前端よりも手前側に張り出すとともに、左側板１８（図３参照）のねじ穴２４，２４と横行部材３２の図６中後側二箇所のねじ穴４２，４２とが相対することとなる。そして、これらねじ穴２４，４２に外側からねじ４４をねじ込むことにより、間仕切り１１が起立状態で机１０に固定される。なお、間仕切り１１を机１０の右端側に取り付ける場合も、前述と同様の手順で行うことができる。
【００２６】
机１０の後端側に間仕切り１１を取り付ける場合には、図７に示されるように、間仕切り１１のスロット穴３９に天板１２の外周縁領域１２Ａの後端部分を嵌め込む。このとき、机１０の後端側が間仕切り１１で仕切られた状態となる。この状態においては、背板２０（図４参照）の三箇所に形成されたねじ穴２６と横行部材３２の三箇所に形成されたねじ穴４２とがそれぞれ相対し、これらねじ穴２６，４２に、背部側からねじ４４（図８参照）をねじ込むことにより、間仕切り１１が起立姿勢で机１０に固定される。
【００２７】
従って、このような実施例によれば、間仕切り１１に前記脚部を設けなくても、比較的簡単な構造で間仕切り１１の起立状態を維持することができるという効果を得る。
【００２８】
なお、前記実施例においては、机１０と間仕切り１１の連結をねじ４４を用いて行ったが、本発明はこれに限定されず、机１０の側端部２２に間仕切り１１を連結できる限りにおいて種々の構造を採用することができる。
【００２９】
【発明の効果】
以上説明したように、本発明によれば、家具の側端部との連結部を備え、当該連結部と前記側端部の連結により起立状態が維持される構成としたから、脚部を間仕切りに設けなくても、当該間仕切りを起立状態に保つことができる。
【００３０】
また、前記連結部を前記側端部に着脱自在に設けたから、間仕切りの交換や、間仕切りを設けない状態での家具の設置が可能となり、より多くのニーズに対応可能となる。
【００３１】
更に、前記天板付き家具の前後若しくは左右の側端部に、前記連結部を選択的に連結可能に設けたから、間仕切りの取り付け位置を任意に異ならせることができ、多彩なレイアウトに対応可能となる。
【００３２】
また、前記連結部の上方及び／又は下方に貫通部を形成したから、より使い勝手の良い間仕切りとすることができる。
【００３３】
更に、前記側端部よりも外側に張り出す天板の外周縁領域を受容可能な受容部を形成したから、間仕切りの起立状態をより安定して維持することができる。
【００３４】
また、前記受容部を、前後幅よりも長い天板の左右幅と略同一の幅に設定し、前記天板付き家具の前後若しくは左右の側端部に、前記間仕切りを選択的に連結可能に設けたから、使用者のニーズに応じた多彩なレイアウトを簡単に形成可能となる。
【００３５】
更に、前記受容部に前記外周縁領域を受容した状態で前記側端部に固定可能な連結部を更に備えたから、間仕切りを家具に取り付ける際の位置決めが容易となり、間仕切りの取り付け作業を一層簡単に行うことができる。
【図面の簡単な説明】
【図１】本実施例に係る間仕切りが取り付けられた状態の机の概略斜視図。
【図２】図１のＡ−Ａ線矢視断面図。
【図３】前記机の左側面図。
【図４】前記机の背面図。
【図５】前記間仕切りの正面図。
【図６】図１の分解斜視図。
【図７】図１に対して間仕切りの取り付け位置を変えた状態を示す図１と同様の概略斜視図。
【図８】図７の背面図。
【符号の説明】
１０  机（天板付き家具）
１１  間仕切り
１２  天板
１２Ａ  外周縁領域
１８  左側板（側端部）
１９  右側板（側端部）
２０  背板（側端部）
２２  側端部
３２  横行部材（連結部）
３６  貫通穴（貫通部）
３９  スロット穴（受容部）
４６  貫通空間（貫通部）
Ｆ  間仕切り面
【図１】
0004984356.tif 000002
【図２】
0004984356.tif 000003
【図３】
0004984356.tif 000004
【図４】
0004984356.tif 000005
【図５】
0004984356.tif 000006
【図６】
0004984356.tif 000007
【図７】
0004984356.tif 000008
【図８】
0004984356.tif 000009